(57)【特許請求の範囲】
【請求項１】
釘打撃用のドライバーを軸方向移動可能に案内するドライバガイドの先端に釘をセットしてトリガを引き操作しつつ釘打ち込み材に押し付け操作すると、前記ドライバガイドの上動により前記ドライバー及び該ドライバーを備えたピストンが往復動して釘打ち動作がなされる釘打ち機であって、
前記ドライバガイドに上動規制部と上動位置保持部を設ける一方、前記トリガに、該トリガを引き操作しない状態では前記上動規制部の上動を阻止して前記ドライバガイドの上動を阻止する第１ロック部と、前記ドライバガイドが上動した状態では前記上動位置保持部に係合して該ドライバガイドを上動位置に保持する第２ロック部を設けた構成とした釘打ち機。
【発明の詳細な説明】
【０００１】
【発明の属する技術分野】
この発明は、釘打撃用のドライバーの先端にセットした釘を多段階で打ち込むタイプの釘打ち機（いわゆる「ばら釘打ち機」）に関する。
【０００２】
【従来の技術】
一般にこの種の釘打ち機は、例えば特公昭４８−１２９１３号公報に開示されているように釘打撃用のドライバを軸方向（釘打ち込み方向）に移動可能に案内するドライバガイドの先端に１本の釘をセットして、当該ばら釘打ち機を釘打ち込み材に向けて押し付けることによりドライバ及びドライバガイドを相対的に上動させ、これによりドライバを取り付けたピストンが往復動して釘の頭部がドライバにより打撃されて該釘が打ち込まれる。この打撃動作すなわちピストンの往復動作は、当該ばら釘打ち機を押し付け操作している間繰り返され、これにより釘の頭部が多数回打撃されて該釘が徐々に打ち込まれて行く。
【０００３】
このような釘打ち機において、従来ドライバガイドの先端面を段付き形状に形成して、セットした釘の頭部を打撃中保持する構成としたものが提供されていた。
【０００４】
【発明が解決しようとする課題】
しかしながら、上記従来の釘保持構造によれば、上記段付き形状により釘の頭部をその径方向の変位を規制することにより保持する構成であるため、ドライバによる釘頭部の打撃に伴う反動により当該釘打ち機のノーズ部（釘保持部周辺）が側方へ変位した場合に、保持した釘の頭部も同方向へ変位して該釘が傾いてしまい、その結果釘が斜めに打ち込まれてしまう場合があった。
本発明は、この問題に鑑みなされたもので、釘打撃に伴う反動があっても釘を真っ直ぐに打ち込むことができる釘打ち機を提供する。
【０００５】
【課題を解決するための手段】
このため本発明は、請求項１に記載した構成の釘打ち機とした。
請求項１記載の釘打ち機によれば、トリガを引き操作しない状態では、トリガ側の第１ロック部によりドライバガイド側の上動規制部の上動が阻止され、従ってドライバガイドの上動が阻止されるので、釘打ち動作はなされない。一方、トリガを引き操作した状態では、ドライバガイド側の上動規制部の上動がトリガ側の第１ロック部によって阻止されないので、該上動規制部ひいてはドライバガイドが上動し、従って釘打ち動作がなされる。
【０００６】
ドライバガイドが上動して釘打ちがなされる間、トリガ側の第２ロック部がドライバガイド側の上動位置保持部に係合してドライバガイドが上動位置に保持される。このため、打ち込み中の釘に対してドライバガイドの先端が接触せず、従って該ドライバガイドの先端に段付き形状等の釘頭保持部を設定した場合であっても、釘打ち込みによる当該釘打ち機の反動によって釘の頭部がその径方向に変位してしまうことはなく、従って当該釘が斜めに打ち込まれてしまうことはない。
【０００７】
なお、釘は打ち込みを開始するまでは、その打ち込み位置を狙う必要上、該釘の頭部をドライバガイド先端の釘頭保持部により保持しておく必要があるが、一旦打ち込みが開始された後は、釘頭部を保持しておく必要はなく、従ってドライバガイドが上動位置で保持されて、その先端の釘頭保持部が打ち込み中の釘の頭部に接触している必要はない。
【０００８】
【発明の実施の形態】
次に、本発明の第１実施形態を図１〜図５に基づいて説明する。図１は本実施形態の釘打ち機１を示している。この釘打ち機１は大別すると、本体部１０と、本体部１０から図示下方に向けて突き出された打ち込み案内部２０と、本体部１０の側部から側方へ突き出されたハンドル部４５を備えている。
本実施形態において、本体部１０及びハンドル部４５は従来公知の構成に比して特に変更を要しないので詳述しないが、図中１１は略円筒形状のハウジングであり、このハウジング１１の内部にはシリンダ１３が一定の範囲で上下動可能に内装され、このシリンダ１３の内部にはピストン１４が上下動可能に内装されている。ピストン１４には釘打撃用のドライバー１５が取り付けられており、このドライバー１５は上記打ち込み案内部２０に至っている。
【０００９】
図示するようにこのドライバー１５の先端側に１本の釘Ｎをセットした状態で、当該釘打ち機１を図示下方に向けて押し付け操作して上記ピストン１４を一定寸法だけ相対的に上動させると、ピストン上室１２及びピストン下室１６における給排気が開始されて該ピストン１４がシリンダ１３内を往復動し、これにより釘Ｎの頭部ｎがドライバ１５の先端によって多数回打撃され、ひいてはこの釘Ｎが徐々に釘打ち込み材Ｗに打ち込まれていく。
なお、ピストン１４の周面には上下２個のシールリング１４ａ，１４ｂが装着されており、下側のシールリング１４ｂがシリンダ１３の下部に設けた給気孔１３ａを下側から上側へ通過するまで当該ピストン１４を上動させると、この給気孔１３ａを経て蓄圧室Ａからピストン下室１６に圧縮空気が供給され、これによりピストン１４が一気に上動する。ピストン１４がストローク上端まで上動すると、ピストン下室１６が大気開放される一方、ピストン上室１２には、シリンダ１３の外周側に配置したスリーブ弁１７が下動することにより蓄圧室Ａから圧縮空気が供給されるためピストン１４は折り返し下動する。この段階で依然として当該釘打ち機１が押し付け操作されていると、ピストン１４がストローク下端付近まで下動した段階で、ピストン下室１６が大気から遮断されて圧縮空気が供給されて再度上動し、これにより当該ピストン１４の往復動が繰り返される。
このことから、以下の説明においては、「釘打ち機１を押し付け操作することによりピストン１４を上動させる」とは、下側のシールリング１４ｂが少なくとも給気孔１３ａを下側から上側へ通過するまで上動させることを意味する。
【００１０】
さて、本実施形態は打ち込み案内部２０に特徴を有している。本体部１０のハウジング１１の下面には略円筒形状の案内部ケース２１が下方へ突き出し状に取り付けられている。この案内部ケース２１の内周側には略円筒形状をなすネイルガイド２２が上下動可能に支持され、さらにこのネイルガイド２２の内周側には、同じく略円筒形状をなすドライバガイド２３が上下動可能に支持されている。ネイルガイド２２は、その上部に設けた凸部２２ａが、案内部ケース２１に設けた上下に長い溝部２１ａ内を移動可能な範囲で上下動可能であり、且つ図示省略した圧縮ばねにより図示下向きに付勢されている。又、このネイルガイド２２の下部には、セットした釘Ｎを吸着保持するためのマグネット２２ｂが装着されている。
【００１１】
このネイルガイド２２の内周側に支持したドライバガイド２３も圧縮ばね２４により図示下向きに付勢されている。このドライバガイド２３の先端面には、段付き形状の釘頭保持部２３ａが形成されている。
図３に示すようにこのドライバガイド２３の側部にはブロック体形状の台座部２５が取り付けられており、この台座部２５は、案内部ケース２１の側部に形成した上下（図３において紙面に直交する方向）に長い溝孔２１ｂを経て該案内部ケース２１の外部に至っている。
この台座部２５を介してドライバガイド２３にはアーム２６が取り付けらている。このアーム２６は、図示するようにＬ型に屈曲して案内部ケース２１の図示右側方に至っている。このアーム２６の先端には、規制ピン２７と規制板２８が取り付けられている。この規制ピン２７と規制板２８は共に上方に延びており、その先端はそれぞれトリガ４０の回動支持部４０ａの近傍に至っている。規制ピン２７は、案内部ケース２１に形成した円筒形状の支持筒部２１ｃの内周側に挿入されて軸方向移動可能に支持されている。規制板２８は、この支持筒部２１ｃの外面に上下方向に移動可能に摺接されている。このように設けた規制ピン２７と規制板２８は、ドライバガイド２３と一体で上下動する。
上記規制ピン２７の軸方向下側の一定範囲には径方向の凹部２７ａが形成されている。以下、この凹部をアンロック部２７ａといい、このアンロック部２７ａよりも軸方向上側の範囲をロック部２７ｂという。
又、図４及び図５に示すように規制板２８の先端にはＬ字形に屈曲する係合部２８ａが設けられている。本実施形態において上記規制ピン２７が、特許請求の範囲に記載した上動規制部の一実施形態に相当し、規制板２８が上動位置保持部の一実施形態に相当する。規制ピン２７及び規制板２８の機能については後述する。
【００１２】
この様に設けたドライバガイド２３の内周側に、釘打撃用のドライバ１５が径方向にほぼガタツキのない状態で軸方向（釘打撃方向）に移動可能に挿入されている。このドライバ１５の軸方向上部寄りには、周方向のロック溝１５ａが形成されている。このロック溝１５ａに対向して前記案内部ケース２１の上部には、ロックピン３１がドライバ１５の径方向に移動可能に支持されている。このロックピン３１は、圧縮ばね３２により図示右方すなわちロック溝１５ａから離脱する方向に付勢されている。圧縮ばね３２に抗してロックピン３１が図示左方に移動すると、その先端がロック溝１５ａ内に進入し、これによりドライバ１５の上動が規制される。以下、ロックピン３１の移動方向の内、ロック溝１５ａから離脱する方向をアンロック方向といい、ロック溝１５ａに進入する方向をロック方向という。
【００１３】
次に、トリガ４０は回動支持部４０ａを中心にして上下に回動可能に設けられている。このトリガ４０は、ハンドル部４５の基部との間に介装した圧縮ばね４１により図示下方へ回動する方向に付勢されている。従って、このトリガ４０の引き操作（図示上方への回動操作）は圧縮ばね４１に抗してなされる。
このトリガ４０の前壁上端部には、上記規制ピン２７の上動を阻止するための第１ロック部４０ｂが設けられている。トリガ４０を引き操作しない状態では、この第１ロック部４０ｂが規制ピン２７の上方に位置するため、該規制ピン２７ひいてはドライバガイド２３が上動不能となる。トリガ４０を引き操作すると、上記第１ロック部４０ｂが規制ピン２７の上方から外れるので、該規制ピン２７ひいてはドライバガイド２３が上動可能となる。
【００１４】
又、トリガの上部には、前記規制板２８の係合部２８ａに係合して該規制板２８ひいてはドライバガイド２３を上動位置に保持するための第２ロック部４２が設けられている。この第２ロック部４２は、トリガ４０の上部から下方に向けて突き出すアーム形状を有し、その先端は図示するようにＬ字形状に屈曲している。トリガ４０を引き操作すると、この第２ロック部４２も回動支持部４０ａを中心にして一体で回動し、これにより該第２ロック部４２の先端屈曲部４２ａが上記規制板２８の係合部２８ａの上方に位置する。
このため、トリガ４０を引き操作した状態でドライバガイド２３を上動させると、規制板２８の係合部２８ａが上動して第２ロック部４２の先端屈曲部４２ａに係合し、これにより該規制板２８ひいてはドライバガイド２３が上動位置に保持される。この状態が図２及び図５に示されている。
【００１５】
図２に示すようにドライバガイド２３が上動位置に保持されると、釘Ｎの頭部ｎがドライバ１５により打撃される段階（ドライバ１５がストローク下端に至った段階）では、該ドライバガイド２３の先端は釘Ｎの頭部ｎよりも上方に位置しし、従って該頭部ｎには接触しない状態となる。
ドライバガイド２３が上動位置に保持される状態は、トリガ４０を引き操作している間継続される。釘打ちが完了してトリガ４０の引き操作を止めると、該トリガ４０が圧縮ばね４１により下方へ戻されるため、第２ロック部４２の先端屈曲部４２ａが規制板２８の係合部２８ａから外れ、これによりドライバガイド２３が圧縮ばね２４により下方へ戻される。
【００１６】
以上のように構成した本実施形態の釘打ち機１によれば、トリガ４０を引き操作しない状態では、該トリガ４０の第１ロック部４０ｂが規制ピン２７の上方に位置しているため該規制ピン２７の上動が阻止され、従ってドライバガイド２３を上動操作することができない。ドライバガイド２３を上動操作しない状態では、ロックピン３１のアンロック方向前方に規制ピン２７のロック部２７ｂが位置しているため、該ロックピン３１はアンロック方向に移動することができず、従ってドライバ１５のロック溝１５ａに進入した状態に保持され、これによりドライバ１５の上動が阻止された状態に保持される。
【００１７】
一方、トリガ４０を引き操作すると、該トリガ４０の第１ロック部４０ｂが規制ピン２７の上方から外れるため、該規制ピン２７の上動が許容され、従ってドライバガイド２３を上動操作可能な状態となる。ドライバガイド２３の釘頭保持部２３ａに１本の釘Ｎをセットした状態で、トリガ４０を引き操作し、且つセットした釘Ｎを介して当該釘打ち機１を押し付け操作することによりドライバガイド２３を圧縮ばね２４に抗して上動させると、規制ピン２７が上動してロックピン３１の離脱方向前方にアンロック部２７ａが位置する。ロックピン３１は圧縮ばね３２によりアンロック方向に付勢されているので、規制ピン２７が上動するとアンロック方向に移動し、これによりドライバ１５が上動可能な状態となり、当該釘打ち機１の押し付け操作により該ドライバ１５が上動し、従って釘打ち動作が開始される。
【００１８】
又、トリガ４０を引き操作しつつ当該釘打ち機１を押し付け操作すると（釘打ち動作中）、図２及び図５に示すようにトリガ４０に設けた第２ロック部４２の先端屈曲部４２ａが、規制板２８の係合部２８ａに係合し、これにより該規制板２８ひいてはドライバガイド２３が上動位置に保持される。
このように釘打ち動作中はドライバガイド２３が上動位置に保持されるため、その先端部（釘頭保持部２３ａ）は打ち込み中の釘Ｎに接触せず、従って釘打ち動作に伴う反動によって当該釘打ち機のノーズ部（釘保持部周辺）が側方へ変位しても、ドライバガイド２３の釘頭保持部２３ａにより該釘Ｎの頭部ｎが拘束されていないので該釘Ｎが傾くことはなく、ひいては釘Ｎを真っ直ぐに打ち込むことができる。
【００１９】
以上例示した実施形態には種々変更を加えることができる。例えば、釘打ち動作中、ドライバガイド２３を上動位置に保持しておくための機構については、例えば図６〜図８に示すように構成することもできる（第２実施形態）。図６〜図８は、釘打ち機の打ち込み案内部５０のみを示している。又、以下の説明において、前記第１実施形態と同様の点については説明を省略し、同位の符号を用いる。第１実施形態では、トリガ４０を引き操作した状態でドライバガイド２３を上動させて第２ロック部４２を規制板２８に係合させることにより該ドライバガイド２８を上動位置に保持する構成を例示したが、第２実施形態ではトリガ４０の操作に関係なく、ドライバガイド２３が上動位置に保持され、且つ下限位置に戻される構成を例示する。
【００２０】
案内部ケース５１の上下方向中程の位置には、ロックピース５２が支軸５３を中心にして回動可能に設けられている。以下、ロックピース５２の回転方向については、図示時計回り方向をロック方向、図示反時計回り方向をアンロック方向という。
このロックピース５２は、捩りばね５４によりロック方向に付勢されている。ドライバガイド２３が上動していない状態では、このロックピース５２は捩りばね５４によりロック方向に回転しており、これにより係合部５２ａが案内部ケース５１に形成した窓部５１ａを経て該案内部ケース５１の内周側に突き出される。なお、この状態は図示されていない。
又、ロックピース５２にはストッパ縁５２ｂが形成されており、このストッパ縁５２ｂが上記窓部５１ａの端部に干渉することにより、係合部５２ａの案内部ケース５１の内周側への突き出し量は一定以下に規制されている（図７参照）。釘打ち機１の押し付け操作によりドライバ１５及びドライバガイド２３を上動させると、ドライバガイド２３のフランジ部２３ｂにより係合部５２ａが押されるためロックピース５２が捩りばね５４に抗して徐々にアンロック方向に回動し、これにより該フランジ部２３ｂの通過ひいてはドライバ１５及びドライバガイド２３の上動が引き続き許容される。図６はこの段階を示している。
【００２１】
釘打ち機１の押し付け操作によりドライバガイド２３及びドライバ１５をさらに上動させると、図７に示すようにフランジ部２３ｂがロックピース５２の係合部５２ａを完全に通過した段階で、該ロックピース５２が捩りばね５４によりロック方向に回動して係合部５２ａがフランジ部２３ｂの下側に張り出す。このためドライバガイド２３が下動不能となって図示する上動位置に保持される。
【００２２】
釘打ち込み完了後、図８に示すようにネイルガイド２２をさらに上動させることによりロックピース５２をアンロック方向に回動させ、然る後釘打ち機１の押し付け操作を解除することにより、ドライバガイド２３及びネイルガイド２２をそれぞればね付勢力により下限に戻すことができる。
【００２３】
このように構成した第２実施形態によっても、釘打ち動作中ドライバガイド２３が上動位置に保持されるので、ドライバガイド２３の釘頭保持部２３ａに釘Ｎの頭部ｎが干渉することがなく、従って釘打撃による反動により釘Ｎが曲がって打ち込まれることはない。
【図面の簡単な説明】
【図１】本発明の実施形態を示す図であり、釘打ち機の内部構造図である。本図は、トリガを引き操作していないためにドライバガイドが途中までしか上動せず、その結果ドライバを上動させることができない状態を示している。
【図２】釘打ち機の内部構造図である。本図は、トリガを引き操作しつつ当該釘打ち機を押し付け操作している状態であり、従ってドライバガイドが上動位置に保持された状態を示している。
【図３】図１の（３）−（３）線断面矢視図である。
【図４】図１の（４）−（４）線断面矢視図である。
【図５】図２の（５）−（５）線断面矢視図である。
【図６】本発明の第２実施形態を示す図であり、打ち込み案内部の縦断面図である。本図はドライバガイドが上動する途中の状態であって、ロックピースがアンロック方向に回動した段階を示している。
【図７】第２実施形態の打ち込み案内部の縦断面図である。本図は、ドライバガイドが上動位置に保持された状態を示している。
【図８】第２実施形態の打ち込み案内部の縦断面図である。本図は、ネイルガイドを上動させてロックピースをアンロック方向に回動させた状態を示している。
【符号の説明】
１…釘打ち機
１０…本体部、１１…ハウジング
１３…シリンダ、１３ａ…給気孔
１４…ピストン
１５…ドライバ、１５ａ…ロック溝
２０…打ち込み案内部
２１…案内部ケース
２２…ネイルガイド
２３…ドライバガイド、２３ａ…釘頭保持部
２６…アーム
２７…規制ピン、２７ａ…アンロック部、２７ｂ…ロック部
２８…規制板
３１…ロックピン
４０…トリガ、４０ｂ…第１ロック部
４２…第２ロック部
５０…打ち込み案内部（第２実施形態）
５２…ロックピース
Ｎ…釘、ｎ…頭部
【図１】
0003611974.tif 000002
【図２】
0003611974.tif 000003
【図３】
0003611974.tif 000004
【図４】
0003611974.tif 000005
【図５】
0003611974.tif 000006
【図６】
0003611974.tif 000007
【図７】
0003611974.tif 000008
【図８】
0003611974.tif 000009